(57)【要約】      （修正有）【課題】便器本体側方の開口部を閉塞するサイドカバーを取外し易くした便器装置を提供する。【解決手段】側方に開口部を有した便器本体２と、開口部を覆い便器本体２に着脱自在のサイドカバー３０とを備え、サイドカバー３０は、便器本体２からの取外し作業時の指掛け用の凹部３１を有し、前記凹部３１は、サイドカバー３０の表面３０ａに開口し且つ裏面側に凹んだ形状である。【選択図】図１
2013159896.tif 000002
【特許請求の範囲】
【請求項１】
側方に開口部を有した便器本体と、前記開口部を覆い前記便器本体に着脱自在のサイドカバーとを備え、
前記サイドカバーは、前記便器本体からの取外し作業時の指掛け用の凹部を有し、
前記凹部は、前記サイドカバーの表面に開口し且つ裏面側に凹んだ形状である
ことを特徴とする便器装置。
【請求項２】
前記凹部は、前記表面の開口の上端縁に、突起を有し、
前記突起は、前記表面から前記裏面側に向けて突出して前記凹部内に設けたものであることを特徴とする請求項１に記載の便器装置。
【請求項３】
前記サイドカバーを前記便器本体に取り付けた状態の平面視において、前記側方に交差する向きを、前後方向とし、
前記凹部は前記裏面から突出し、
前記凹部の前記裏面から突出した部位の前後方向の両端部のうち、一方の端部を前後方向において開放して設け、
前記一方の端部に対向する前記便器本体の部位に、前記一方の端部を閉塞する壁を設けたことを特徴とする請求項１又は請求項２に記載の便器装置。
【発明の詳細な説明】
【技術分野】
【０００１】
本発明は、便器装置に関するものである。
【背景技術】
【０００２】
従来から、便器装置として、本体側面に開口部を有すると共に、この開口部を覆うサイドカバーを備えたものがある（特許文献１等参照）。
【先行技術文献】
【特許文献】
【０００３】
【特許文献１】特開２００９−２６３９９４号公報
【発明の概要】
【発明が解決しようとする課題】
【０００４】
また、トラップ部が封水姿勢と排水姿勢とを切替自在の便器装置では、停電時に、トラップ部の姿勢を切り替える駆動機構の駆動源への給電が停止して、駆動機構による自動的なトラップ部の姿勢切替が行えなくなる。この場合、トラップ部の姿勢を手動で切り替えるために、開口部内に配置された手動切替用の操作部を操作して、トラップ部の姿勢切替を行うことになる。
【０００５】
ところで、従来の便器装置は、サイドカバーの表面が凹凸の無い略平坦な形状になっている。そのため、給水路のストレーナの清掃や停電時のトラップ部の手動切替のため等で開口部を開放する際に、サイドカバーの位置を使用者が認識し難く、また取外し作業時にサイドカバーを把持し難い等の問題がある。
【０００６】
更に、停電時にあっては、便器装置を設置したトイレルームの照明手段を利用することが困難である場合が多く、照明手段を利用できない状態では、サイドカバーを視認し難く手探りで見つけ出すことになる。この場合も、平坦なサイドカバーでは便器本体の外殻と区別し難く、サイドカバーを見い出し難くなるという問題がある。
【０００７】
そこで、本発明は、上記従来の問題点に鑑みて発明したもので、その目的とするところは、サイドカバーの位置を認識し易くし、且つサイドカバーの取外し作業を行い易くした便器装置を提供することにある。
【課題を解決するための手段】
【０００８】
上記課題を解決するために、本発明の便器装置は、側方に開口部を有した便器本体と、前記開口部を覆い前記便器本体に着脱自在のサイドカバーとを備え、前記サイドカバーは、前記便器本体からの取外し作業時の指掛け用の凹部を有し、前記凹部は、前記サイドカバーの表面に開口し且つ裏面側に凹んだ形状であることを特徴とする。
【０００９】
この便器装置として、前記表面の開口の上端縁に、前記凹部内に突出する突起を設け、前記突起は、突出先端が前記裏面側を向く形状であることが好ましい。
【００１０】
この便器装置として、前記サイドカバーを前記便器本体に取り付けた状態の平面視において、前記側方に交差する向きを、前後方向とし、前記凹部は前記裏面から突出し、前記凹部の前記裏面から突出した部位の前後方向の両端部のうち、一方の端部を前後方向において開放して設け、前記一方の端部に対向する前記便器本体の部位に、前記一方の端部を閉塞する壁を設けたものであることが好ましい。
【発明の効果】
【００１１】
本発明は、サイドカバーの位置を認識し易くし、且つサイドカバーの取外し作業を行い易くすることができるという効果を奏する。
【図面の簡単な説明】
【００１２】
【図１】便器装置の斜視図である。
【図２】同上のサイドカバーを取り外した状態の前方右側から視た拡大斜視図である。
【図３】同上のサイドカバーを取り外した状態の後方左側から視た拡大斜視図である。
【図４】同上のサイドカバーの凹部周辺の平面図である。
【図５】同上のＢ−Ｂ断面図である。
【図６】サイドカバーの一部を省略した凹部周辺の透過図であり、（ａ）が表面側から視た斜視図であり、（ｂ）が裏面側から視た斜視図であり、（ｃ）が開口部に取り付けた状態で表面側から視た斜視図である。
【図７】変形例の左側のサイドカバー周辺の斜視図である。
【発明を実施するための形態】
【００１３】
本発明を、添付図面に示す実施形態に基づいて説明する。
【００１４】
本実施形態の便器装置１は、図１に示すように、例えば、トイレルームの床６０に設置される。便器装置１は、便器本体２と、便器本体２の上面２ａに取り付けられる弁蓋（不図示）及び便座（不図示）とを備える。なお、以下の説明では、便器装置１を床６０に設置した状態の平面視を基準として、上記便器に着座した利用者から視て前側を前方、後側を後方とし、前後方向に交差する左右方向を側方とする。
【００１５】
便器本体２は、ボウル部３と、外殻パーツ１６と、フレーム７と、排水トラップ５と、付属装置を有した装置ユニット４と、給水ユニット１３とを備える。ボウル部３は上方に開口した椀状で、底部に排水口（不図示）を有し、この排水口が排水トラップ５に連通接続してある。
【００１６】
排水トラップ５は、図２に示すように、ケースと、変形性を有する材料で筒状に形成されたトラップ筒（不図示）と、トラップ筒の姿勢を変更する機構部（不図示）とを有しており、所謂トラップ回動式の排水トラップになっている。
【００１７】
トラップ筒はケース内に配置される。そして、トラップ筒は一端がボウル部３の排水口に連通接続してあり、排水口と反対側の自由端側の端部（以下、トラップ筒の先端とする）が上下に回動自在になっている。機構部は、ケースに回動自在で配置された回動アームと、回動駆動源としての駆動モータとを有する。そして、機構部は駆動モータの回動軸が回動アームの一端に連結してあり、回動アームの自由端である他端がトラップ筒の先端のリング（不図示）に連結してある。駆動モータは外部電源である商用電源から給電されることで、駆動する。
【００１８】
排水トラップ５は、駆動モータで回動軸を回動駆動すると、トラップ筒が回動アーム、リングを介して回動して、トラップ筒の自由端側の端部が上向きになったり、下向きになったりするようになっている。そして、排水トラップ５はトラップ筒の先端が上向きになることで封水状態になり、下向きになることで排水状態になる。
【００１９】
また、排水トラップ５は回動軸に手動ハンドル６が連結してある。そして、排水トラップ５は、手動ハンドル６を手動で回転させて回動軸を回転させることで、トラップ筒の先端を回動させて、封水状態と排水状態とに手動で切り替えることができる。
【００２０】
フレーム７は断面矩形状の管で構成されており、例えば金属製となっている。そして、フレーム７は、下フレーム８と、後フレーム９と、前フレーム１０と、上フレーム１１とを有する。
【００２１】
下フレーム８は、平面視環状に形成してある。そして、下フレーム８は床６０上に載置され、ボルト等の固着具１２によって床６０に固定される。後フレーム９は、下フレーム８の後端部の左右両側端部の夫々に立設してある。前フレーム１０は、下フレーム８の前後方向の中間部の左右両側端部の夫々に立設してある。そして、後フレーム９の上端部とこの前方に位置する前フレーム１０の上端部とは、左右共に上フレーム１１によって連結してある。
【００２２】
上フレーム１１には、装置ユニット４（図２参照）と給水ユニット１３（図３参照）とが取り付けてある。装置ユニット４は付属装置として、例えば、局部洗浄装置、温風乾燥装置、脱臭装置等を有する。そして、付属装置は、ボウル部３の上方位置或いはリム部１８に設けた開口部（不図示）からボウル部３２に臨むようにして、上フレーム１１に支持される。
【００２３】
給水ユニット１３は、図３に示すように、給水源となる水道管に接続される給水路１４と、給水路１４の通水、止水等を切り替える切替弁（不図示）とを有する。そして、給水ユニット１３は、水道管から供給された水を、ボウル部３内に吐出して、ボウル部３の内面を洗浄する。すなわち、本例の便器装置１は、ボウル部３内に供給する水を溜めるためのタンクを有さないタンクレス式となっている。そして、便器本体２は付属装置として、切替弁を介して給水ユニット１３を制御する制御部をさらに有する。
【００２４】
また、給水ユニット１３は、給水路１４の上流側にストレーナ（不図示）が設けてある。そして、ストレーナはストレーナ蓋１５に一体で設けてあり、ストレーナ蓋１５は給水路１４に着脱自在で取り付けてある。そのため、便器装置１は、ストレーナ蓋１５を給水路１４から取り外すことで、給水路１４からストレーナを取り出して、給水路１４外でストレーナの洗浄を行うことができる。
【００２５】
外殻パーツ１６は、図１に示すように、樹脂製で、フレーム７及び給水ユニット１３及び装置ユニット４を覆う。外殻パーツ１６は、前部を構成する前パーツ１７と、後部を構成する後パーツ２０と、後方上部を構成する上パーツ２１とで構成される。
【００２６】
前パーツ１７は、図２に示すように、ねじ具（不図示）を用いて下フレーム８と前フレーム１０の両方に取り付けてある。そして、前パーツ１７は、図１に示すように、リム部１８及びスカート部１９を有する。リム部１８は、上方に開口するボウル部３の上縁から外周側に突出しており、リム部１８の上面が、便座等を取り付ける便器本体２の上面２ａになっている。スカート部１９は、平面視後方に開口する略Ｃ字状に形成してある。外殻パーツ１６はスカート部１９によって、ボウル部３を覆う。
【００２７】
後パーツ２０は、図３に示すように、平面視板状に形成してある。そして、後パーツ２０は排水トラップ５を後方側から覆う。上パーツ２１は、図１に示すように、下方に開口した箱状に形成してある。上パーツ２１はリム部１８の後部及び後パーツ２０の上端に取り付けてある。そして、上パーツ２１は装置ユニット４の両側方及び前後及び上方を覆う。
【００２８】
また、便器本体２は、図２に示すように、前パーツ１７の後端と後パーツ２０の側端との間に開口部２２を有する。言い換えると、便器本体２は、排水トラップ５を配置した後部の左右両方（両側方）に夫々開口部２２が設けてある。そのため、便器装置１は、開口部２２を介して排水トラップ５等の便器本体２内部を視認することができる。
【００２９】
更に、便器本体２は、左側から視た側面視において、左側の開口部２２内に手動ハンドル６が位置する。そして、便器本体２は、右側から視た側面視において、右側の開口部２２内にストレーナ蓋１５が位置する。そのため、利用者は、左側の開口部２２に手を差し入れることで、手動ハンドル６を操作することができ、右側の開口部２２に手を差し入れることで、ストレーナ蓋１５の着脱を操作することができる。
【００３０】
言い換えると、便器装置１は、左側の開口部２２内に手動ハンドル６が配置してあり、左右方向の反対側である右側の開口部２２内に給水路１４のストレーナ及びストレーナ蓋１５が配置してある。
【００３１】
ところで、便器装置１は、サイドカバー３０をさらに備える。サイドカバー３０は略矩形の板状に形成してある。そして、サイドカバー３０は、板面を側方に向けた状態で、開口部２２に取り付けられる。これによって、サイドカバー３０は開口部２２を覆う。そのため、便器装置１は、開口部２２から便器本体２内への水や埃の侵入等を抑制し易くすることができる。
【００３２】
更に、サイドカバー３０は取付部（詳細は後述する）を介して便器本体２に着脱自在になっている。これによって、便器装置１はサイドカバー３０を取り外すことで、開口部２２を外部に開放することができる。そのため、利用者は、サイドカバー３０を取り外すことで、開口部２２に手を差し入れて、手動ハンドル６等の開口部２２内に配置した部材を操作したり着脱したりすることができる。
【００３３】
また、サイドカバー３０は、便器本体２に取り付けた状態を基準に、板面のうち、外側方を向く面（表面３０ａ）が、サイドカバー３０の周囲の外殻パーツ１６の表面と略面一で並ぶ。そのため、便器装置１は側方の表面（側面）を、外殻パーツ１６の表面とサイドカバー３０の表面３０ａとで形成してある。以下、特に指定しない限り、サイドカバー３０は便器本体２に取り付けた状態の向きを基準に説明する。
【００３４】
サイドカバー３０は凹部３１を有する。凹部３１は、サイドカバー３０の表面３０ａに開口する。そして、凹部３１は、表面３０ａの反対側であるトラップ筒側（内側方）を向く面（裏面３０ｂ）側に凹んだ形状になっている。以下、凹部３１のサイドカバー３０の表面３０ａの開口を、表面開口３１ａとする。
【００３５】
表面開口３１ａは、図４に示すように、側面視略矩形状になっている。具体的には、表面開口３１ａの前後寸法が、例えば約４０ｍｍで、上下寸法が、例えば約２０ｍｍとなっており、人差し指と中指等の指を複数本挿入することができる。これによって、サイドカバー３０の便器本体２からの取外し作業時に、利用者は凹部３１に指を掛ける（引っ掛ける）ことで、サイドカバー３０を保持することができ、この保持した状態でサイドカバー３０を取り外すことができる。そのため、凹部３１は、この取外し作業用の操作部になっている。
【００３６】
更に、凹部３１は、表面開口３１ａの端縁の表面３０ａとの角や、前後の端縁と上下の端縁との角が丸みを帯びた形状になっている。言い換えると、凹部３１は表面開口３１ａにエッジが無い形状になっている。これによって、利用者は凹部３１に指を引っ掛け易くすることができる。
【００３７】
また、便器装置１は、取付部として、サイドカバー３０の上端側でサイドカバー３０を保持する第１取付部と、サイドカバーの前後端側でサイドカバー３０を保持する第２取付部とを有する。なお、図３では、取付部の図示を省略している。
第１取付部は、図２に示すように、サイドカバー３０に設けた凸部４０と、便器本体２に設けた挿入部４１とを有する。凸部４０は、サイドカバー３０の裏面３０ｂの上端に設けてあり、凹部３１より後方に位置する。そして、凸部４０は裏面３０ｂから側方に突出する。挿入部４１は上パーツ２１の下端に設けてあり、外側方に開口した凹所或いは貫通孔になっている。そして、挿入部４１は凸部４０を挿入可能になっている。
【００３８】
更に、第１取付部は、挿入部４１に凸部４０を挿入して（掛け止めして）、凸部４０が挿入部４１の開口縁や内面に当接されることで、サイドカバー３０を上下方向に位置決めし且つ便器本体２に保持する。そして、第１取付部は、サイドカバー３０を外側方に移動させる、或いは上端を外側方に傾けることで、凸部４０を挿入部４１から取り出して、保持を解除することができる。
【００３９】
第２取付部は、サイドカバー３０に設けた第１面ファスナー４２と、便器本体２に設けた第２面ファスナー４３とを有する。第１面ファスナー４２は、サイドカバー３０の裏面３０ｂの前端の凹部３１より下方の上下二箇所と、裏面３０ｂの後端側の一箇所（不図示）とに設けてある。後端側の第１面ファスナー４２は、前端の第１面ファスナー４２のうち、上方に位置する第１面ファスナー４２と略同じ高さに位置する。第２面ファスナー４３は、第１面ファスナー４２に対向する外殻パーツ１６の部位に設けてある。具体的には、第２面ファスナー４３が、前パーツ１７の後端の上下二箇所と、後パーツ２０の側端の一箇所とに設けてある。
【００４０】
すなわち、第２取付部は、前パーツ１７にサイドカバー３０の前端を当接した状態で、前パーツ１７の第２面ファスナー４３に、サイドカバー３０の前端の第１面ファスナー４２が取り付けられる。そして、第２取付部は、後パーツ２０にサイドカバー３０の後端を当接した状態で、後パーツ２０の第２面ファスナー４３に、サイドカバー３０の後端側の第１面ファスナー４２が取り付けられる。
【００４１】
更に、第２取付部は、第１面ファスナー４２と第２面ファスナー４３とを噛み合せることで、サイドカバー３０を前後方向において位置決めし且つ便器本体２に保持する。そして、第２取付部は、第１取付部の保持を解除した状態で、サイドカバー３０を上方や外側方に移動させることで、第１面ファスナー４２と第２面ファスナー４３との噛み合いが外れて、保持を解除することができる。
【００４２】
このように、サイドカバー３０は、便器本体２装着状態において、凹部３１を介してサイドカバー３０の上端を外側方に傾けることで、第１取付部での保持を解除することができる。そして、第１取付部の保持解除後、凹部３１を介してサイドカバー３０を上方に持ち上げる或いは外側方に引っ張ることで、第２取付部での保持を解除することができる。言い換えると、便器装置１は、凹部３１に指を掛けた状態で、第１取付部及び第２取付部の両方の保持を解除することができる。
【００４３】
そのため、例えば、利用者が初めてサイドカバー３０の取外し作業を行う場合等に、凹部３１に指や手が触れることで、サイドカバー３０の位置を認識することができる。更に、停電時に排水トラップ５を手動で排水姿勢に切り替える場合、便器装置１を設置したトイレルームの照明手段を利用できない状態であっても、凹部３１によってサイドカバー３０を手探りで見つけ出し易くすることができる。
【００４４】
そして、サイドカバー３０の位置を認識後、この凹部３１に指を掛けて、サイドカバー３０を外側方や上方に動かすことで、全ての取付部の保持を解除して、サイドカバー３０を便器本体２から取り外すことができる。言い換えると、便器装置１は、サイドカバー３０に凹部３１を設けたことで、利用者は凹部３１を操作部としてサイドカバー３０を取り外すことができて、サイドカバー３０の取外し作業を行い易くすることができる。
【００４５】
更に、指掛け用の操作部として凹部３１をサイドカバー３０に設けたことで、操作部として貫通孔を設けた場合に比べて、操作部を介して便器本体２内へ水が浸入することを、抑制し易くすることができる。
【００４６】
また、凹部３１は、図５、図６に示すように、上面部３３及び下面部３４が裏面３０ｂから側方に突出する。上面部３３及び下面部３４は突出先端が底面部３５に一体で接続されている。底面部３５は表面開口３１ａ及び裏面３０ｂに対向して位置する。そして、凹部３１は、上面部３３、下面部３４、底面部３５各々の後端が後面部３６で一体に接続されており、後面部３６は上面部３３、下面部３４、底面部３５各々の後端で囲まれた部位を閉塞する。更に、凹部３１は、上面部３３、下面部３４、底面部３５各々の前端で囲まれた部位が前後方向に開放されており、前面を有していない。
【００４７】
言い換えると、表面開口３１ａを有した凹部３１は、サイドカバー３０の裏面３０ｂに、箱状に突出した部位を有する。そして、凹部３１は、突出した部位の前後方向を向く面のうち、前面側が開放してあり、後面側が閉塞してある。以下、上面部３３、下面部３４、底面部３５各々の前端で囲まれた、前面側の前後方向において開放した部位を、前開放部３７とする。
【００４８】
上面部３３は、前後方向において、後端が表面開口３１ａの後端に略一致して位置して連続し、前端が表面開口３１ａの前端より前方に位置する。そして、上面部３３は裏面３０ｂに至る基端（外側端）が表面開口３１ａの上端縁より上方に位置する。言い換えると、凹部３１は、表面開口３１ａの上端縁が上面部３３より下方に突出して位置する。これによって、サイドカバー３０は、凹部３１内に挿入した利用者の指を凹部３１（表面開口３１ａの上端縁）に引っ掛け易くすることができる。そのため、便器装置１は、凹部３１を操作部に用いて、サイドカバー３０を取り外すことができて、サイドカバー３０の取外し作業を行い易くすることができる。
【００４９】
下面部３４は、前後方向において、後端が表面開口３１ａの後端に略一致して位置して連続し、前端が表面開口３１ａの前端より前方に位置する。そして、下面部３４は、上下方向において、外側端が表面開口３１ａの下端縁に略一致して位置して連続する。更に、下面部３４は、表面開口３１ａ側程下向きに傾斜した傾斜面になっている。これによって、凹部３１は、表面開口３１ａから内部に水が浸入した際に、下面部３４の傾斜に沿って表面開口３１ａ側に流動し易くなっている。そのため、便器装置１は、水が凹部３１を介して便器本体２内（外殻パーツ１６より内部）に浸入することを抑制し易くすることができる。
【００５０】
後面部３６は、前後方向において、表面開口３１ａの後端から内側方に突出する。前開放部３７は、便器本体２装着時に、便器本体２に設けたリブによって閉塞される。リブは例えば、側方に突出して、外殻パーツ１６の端部或いはフレーム７に設けてある。そして、リブは後方側を向く端面を有し、この端面で前開放部３７を閉塞する。言い換えると、便器本体２は、前開放部３７を閉塞する壁２３を有する。
【００５１】
このように、サイドカバー３０は、凹部３１の裏面３０ｂ側に突出した部位の上下面（上面部３３及び下面部３４）を閉塞し、且つこの突出した部位の前後面のうち、一方の面（前面）を開放し残りの一方の面（後面部３６）を閉塞した形状になっている。そして、サイドカバー３０は、サイドカバー３０を注型成形等で樹脂成形する際に、成形後の離型時に凹部３１形成用の入れ子を前開放部３７を介して抜き出し易くなる等で、凹部３１をサイドカバー３０と一体で樹脂成形し易くすることができる。そのため、便器装置１は、凹部３１を設けたサイドカバー３０を、樹脂成形で製造し易くすることができる。
【００５２】
更に、便器装置１は、サイドカバー３０を取り付けることで、便器本体２側に設けた壁２３で凹部３１の前面（前開放部３７）が閉塞されるため、前開放部３７から便器本体２内への水の浸入を抑制し易くすることができる。そして、凹部３１の下面部３４を表面開口３１ａ側に下向き傾斜としたことで、凹部３１内に水が浸入した際に、この傾斜に沿って表面開口３１ａ側に流動し易くすることができて、凹部３１内に水が溜まり難くすることができる。そして、水が表面開口３１ａ側に流動するため、凹部３１を介した便器本体２内への水の浸入を抑制し易くすることができる。
【００５３】
また、凹部３１は、図５に示すように、表面開口３１ａの上端縁に、凹部３１内に突出する突起３２を有する。突起３２は上面部３３より下方に位置する。そして、突起３２は突出先端が底面部３５側（裏面３０ｂ側）を向く形状になっている。更に、突起３２の突出先端は、角が丸みを帯びた形状になっている。
【００５４】
これによって、サイドカバー３０は、例えば力を加えた際に凹部３１に差し入れた指が凹部３１から外れ難くなる等で、利用者に掴み易くすることができる。そのため、サイドカバー３０の取外し作業をより行い易くすることができる。
【００５５】
以下、図７に基づき、変形例を説明する。なお、前述した構成と、重複する構成に対する説明は省略する。
【００５６】
本例の便器装置１は付属装置として、ボウル部３に洗浄液を吐出する洗浄液吐出装置を有する。洗浄液吐出装置は、洗浄液を貯留する液タンク５０を、便器本体２に着脱自在で備える。液タンク５０は右側の開口部２２内に配置してある。そして、液タンク５０は、開口部２２から外側方に突出する。サイドカバー３０は、液タンク５０の突出した部位と重なる位置に開口を有する。そして、サイドカバー３０は、この開口及び液タンク５０の突出した部位を覆うタンクカバー５１を備える。
【００５７】
タンクカバー５１はサイドカバー３０に対して回動自在で設けてある。そして、タンクカバー５１は、この回動によって、液タンク５０を覆い且つ開口を閉塞する閉塞状態と、タンクカバー５１を上方に取出し自在で開口を開放する開放状態とに切り替わる。更に、便器装置１は、この開放状態を有したことで、サイドカバー３０を取り外さずに、液タンク５０を便器本体２から取出して、便器本体２外で液タンク５０へ洗浄液を補充することができる。
【００５８】
また、便器装置１は、サイドカバー３０が取付部（詳細は後述する）を介して便器本体２に着脱自在になっている。そして、サイドカバー３０は、タンクカバー５１を備えた状態で、便器本体２から取り外することができる。そのため、便器装置１は、サイドカバー３０を取り外して右側の開口部２２を開放することで、ストレーナを取出し清掃することができる。
【００５９】
更に、サイドカバー３０は、凹部３１を有する。凹部３１はタンクカバー５１より上方に設けてある。そのため、便器装置１は、指を凹部３１に引っ掛けてサイドカバー３０を取外す際に、凹部３１に指を引っ掛けた手や腕をタンクカバー５１に干渉し難くすることができる。
【００６０】
取付部は、サイドカバー３０の上端側でサイドカバー３０を保持する第３取付部と、サイドカバー３０の下端側でサイドカバー３０を保持する第４取付部とを有する。
【００６１】
第３取付部は、先端部の膨出したストライク４５と、ストライク４５を嵌め込むラッチ機構（不図示）とを有しており、所謂ラッチ式の取付部になっている。具体的には、第３取付部が、サイドカバー３０の凸部４０をストライク４５とし、挿入部４１がラッチ機構を備えた構成になっている。そのため、第３取付部は、ストライク４５をラッチ機構（挿入部４１）に嵌め込むことで、サイドカバー３０の上部を便器本体２に保持する。そして、第３取付部は、サイドカバー３０を保持した状態で、ストライク４５を挿入部４１側に押し込むことで、ストライク４５がラッチ機構から外れて挿入部４１外に出されて、サイドカバー３０の保持が解除される。すなわち、第３取付部は、所謂プッシュラッチ式の取付部になっている。
【００６２】
第４取付部は、サイドカバー３０に設けた足部４６と、便器本体２に設けた足掛け部４７とを有する。足部４６はサイドカバー３０の裏面３０ｂの下端に設けてある。そして、足部４６はサイドカバー３０の下端より下方に突出して位置する。足掛け部４７は下フレーム８に設けてある。足掛け部４７は、上方に開口した外側方に開口した凹所或いは貫通孔になっている。そして、足掛け部４７は足部４６を挿入可能になっている。
【００６３】
更に、第４取付部は、足掛け部４７に足部４６を挿入して（掛け止めして）、足部４６が足掛け部４７の開口縁や内面に当接されることで、サイドカバー３０を上下方向及び前後方向に位置決めし且つ便器本体２に保持する。そして、第４取付部は、サイドカバー３０を上方に移動させる、或いは外側方に傾けた姿勢で上方に移動させることで、足部４６を足掛け部４７から抜き出して、保持を解除することができる。また、足部４６を足掛け部４７へ掛け止める第４取付部での保持作業は、ストライク４５をラッチ機構部に嵌め込む第３取付部での保持作業前に行われる。そして、第４取付部での保持を解除する作業は、第３取付部での保持を解除する作業の後に行われる。
【００６４】
これによって、便器装置１は、利用者が第３取付部の位置を認識できない場合であっても、凹部３１を介してサイドカバー３０を便器本体２の内部側に押すことで、第３取付部での保持を解除することができる。そして、便器装置１は、第３取付部の保持を解除した状態で、凹部３１を介して第４取付部の保持を解除することで、便器本体２からサイドカバー３０を取り外すことができる。言い換えると、便器装置１は、凹部３１に指を掛けた状態で、第３取付部及び第４取付部の両方の保持を解除することができる。そのため、サイドカバー３０の取外しを行い易くすることができる。
【００６５】
なお、本発明は、前述の実施形態の２つの構成のみに限定されるものではなく、本発明の意図する範囲内であれば、適宜の設計変更を行うことが可能である。例えば、便器装置１は、取付部として、ラッチ式の第３取付部と、面ファスナーを用いた第２取付部とを有したものや、第１取付部や第３取付部に面ファスナーを用いたもの等であってもよい。また、例えば、取付部は、面ファスナーやラッチ式のものに限らず、係止爪を引っ掛けて保持するものや、凹凸等の嵌り合いで保持するもの等であってもよい。
【００６６】
また、便器装置１は、例えば、サイホン式やサイホンゼット式の排水トラップ５を備えた手動ハンドル６の無いものであってもよい。また、便器装置１は、タンクレス式のものに限らず、貯水タンクを備えたもの等であってもよい。また、洗浄液吐出装置を備えた便器装置１において、洗浄液タンク５０が、側方に突出しないものや、開口部２２内に位置しないものであってもよい。また、両側方に開口部２２を有した便器装置１に限らず、例えば、一方の側方のみに開口部２２を有したものであってもよい。また、凹部３１は、表面開口３１ａから底面部３５までの寸法をサイドカバー３０の板厚より小さい値或いは略同じ値にして、サイドカバー３０内に収めて設けたものであってもよい。
【符号の説明】
【００６７】
１  便器装置
２  便器本体
２２  開口部
２３  壁
３０  サイドカバー
３０ａ  表面
３０ｂ  裏面
３１  凹部
３１ａ  表面開口
３２  突起
３６  後面部
３７  前開放部
【図１】
2013159896.tif 000003
【図２】
2013159896.tif 000004
【図３】
2013159896.tif 000005
【図４】
2013159896.tif 000006
【図５】
2013159896.tif 000007
【図６】
2013159896.tif 000008
【図７】
2013159896.tif 000009